(57)【特許請求の範囲】
【請求項１】
机天板の後部上に上棚を設けた実験台であって、前記天板及び棚板に載置した実験用機器に接続した配線コード類の余剰部分を整理、収容することが可能な余剰コード処理手段を、前記棚板の下面近傍の空間又は天板と棚板間の後部空間に、横方向の位置変更可能に設けたことを特徴とする実験台。
【請求項２】
前記棚板の下面の前後中央部に前後一対の係止段部を設け、前記余剰コード処理手段は、配線コード類の余剰部分を載置又は係止可能な受部材と、前記係止段部に係止可能な係止部材とを備えてなる請求項１記載の実験台。
【請求項３】
前記余剰コード処理手段は、上部の開口部が上方及び後方へ開放した扁平状の収納ボックスであって、該収納ボックスの底面には、アジャスターを設けるとともに、上端縁には棚板の後縁部に当止できる当止片を設け、該当止片を棚板の後縁部に当止した状態でアジャスターを調節して、天板と棚板間に突き合せて立起状態に保持するものである請求項１記載の実験台。
【請求項４】
前記余剰コード処理手段は、配線コード類の余剰部分を直接結束具で縛り又はフックを用いて係止することが可能な梯子状の係止具であり、該係止具は、両側に間隔を隔てて立設した伸縮可能な支柱の間に上下多段に横杆を渡設したものであり、前記支柱を天板と棚板間に突っ張り保持してなる請求項１記載の実験台。
【発明の詳細な説明】
【０００１】
【発明の属する技術分野】
本発明は、実験台に係わり、更に詳しくは、天板や棚板に載置した実験用機器の配線コード類及びチューブ類を整然と配線するための余剰コード処理手段を備えた実験台に関するものである。
【０００２】
【従来の技術】
従来、天板の後部上に上棚を一体的に設けた複数の実験台を横方向に並べて設置した実験設備は、企業や教育現場で研究、試験用の設備として公知である。また、複数の実験台を壁面に沿って設置したいわゆる壁置き配置となした実験設備も公知である。また、複数の実験台を中間に作業通路を形成して互いに背面合わせで設置し、あるいは壁面との間に作業通路を形成して設置し、いわゆる島置き配置となした実験設備も公知である。
【０００３】
この実験台には、各種の実験用機器が載置され、また液体を扱う機器も載置されて使用される。これらの実験用機器に電源を供給する電源コードや機器間を接続する信号ケーブル等の配線コード類、あるいは液体を輸送するチューブ類は、実験台の背面側の空間で配線、接続されている。その結果、実験台の背後には多数の配線コード類やチューブ類が機器から垂れ下がり乱雑に交差した状態となって非常に見苦しくなっている。また、機器のメンテナンスや、後の機器の交換や配置替えに伴って発生する配線コード類の接続替え作業に手間がかかる。
【０００４】
特に、高速液体クロマトグラフ分析装置は、各機器を分析媒体である液体が通過する多数のチューブ類が連結されている。一方、液体クロマトグラフ分析装置は、各種データ処理や自動化により機器コンポーネットが増加しており、１セットが数台のユニットで構成されているため、多数の電源コードや信号ケーブルが複雑に配線されている。従来の実験台では、これらの配線コード類やチューブ類が複雑に入り組んでしまい、機器のメンテナンスが難しく、また外観性も損なう結果となっている。
【０００５】
【発明が解決しようとする課題】
本発明が前述の状況に鑑み、解決しようとするところは、机天板の後部上に上棚を一体的に設けた実験台であって、前記天板及び棚板に載置した実験用機器に接続した配線コード類の余剰部分を整理、収容することが可能な余剰コード処理手段を備えた実験台を提供する点にある。
【０００６】
【課題を解決するための手段】
本発明は、前述の課題解決のために、机天板の後部上に上棚を設けた実験台であって、前記天板及び棚板に載置した実験用機器に接続した配線コード類の余剰部分を整理、収容することが可能な余剰コード処理手段を、前記棚板の下面近傍の空間又は天板と棚板間の後部空間に、横方向の位置変更可能に設けてなる実験台を構成した。
【０００７】
ここで、前記棚板の下面の前後中央部に前後一対の係止段部を設け、前記余剰コード処理手段は、配線コード類の余剰部分を載置又は係止可能な受部材と、前記係止段部に係止可能な係止部材とを備えてなることが好ましい。
【０００８】
また、前記余剰コード処理手段は、上部の開口部が上方及び後方へ開放した扁平状の収納ボックスであって、該収納ボックスの底面には、アジャスターを設けるとともに、上端縁には棚板の後縁部に当止できる当止片を設け、該当止片を棚板の後縁部に当止した状態でアジャスターを調節して、天板と棚板間に突き合せて立起状態に保持するものであることも好ましい。
【０００９】
また、前記余剰コード処理手段は、配線コード類の余剰部分を直接結束具で縛り又はフックを用いて係止することが可能な梯子状の係止具であり、該係止具は、両側に間隔を隔てて立設した伸縮可能な支柱の間に上下多段に横杆を渡設したものであり、前記支柱を天板と棚板間に突っ張り保持してなることも好ましい。
【００１０】
【発明の実施の形態】
次に本発明の実施の形態を添付図面に基づき更に詳細に説明する。図１及び図２は本発明に係る実験台を用いて構成した実験設備を示し、図２〜図４は実験台に備えた上棚の構造を示し、図５〜図１４は実験台に備えた余剰コード処理手段を示し、図中符号１は実験台、２は机本体、３は上棚、４は通路、５は余剰コード処理手段をそれぞれ示している。
【００１１】
本発明に係る実験台１は、机本体２の天板６の後部上に上棚３を一体的に設けたものである。本実施形態では、複数の実験台１，…を中間に作業通路４を形成して互いに背面合わせで設置して構成した島置き実験設備を構成し、前記作業通路４の終端部であって視線を遮る位置に開閉可能又は着脱可能な目隠しパネル７を設置してなるものである。また、前記上棚３は、机天板６の上面両側部に後部を余して立設した両柱体ユニット８の中間部に棚板９を架設するとともに、該棚板９の後端を机天板６の後端よりも前方に設定し、実験台１を壁置き配置となした場合にも壁面（図示せず）と柱体ユニット８間及び壁面と棚板９後端間に配線空間を形成するようにしている。また、棚板９前後の柱体ユニット８から突出する長さは、前方の方が長くなるように設定されている。
【００１２】
前記実験台１は、天板６の両側部又は必要に応じて中間部を支持脚１０，…で支え、天板６の上面後部に、配線コード類等の通過配設を許容する複数の中空の柱体ユニット８，…が立設固定されており、両側部の柱体ユニット８，８の中間部を相互に強固に連結する中空のビームユニット１１が水平に架設され、両側部の前記柱体ユニット８，８の相互間でビームユニット１１の上位に棚板９が着脱可能に架設された構造となっている。つまり、前記柱体ユニット８，８と、ビームユニット１１及び棚板９で前記上棚３を構成している。そして、前記天板６と棚板９の上面に、実験用機器１２が搭載され、機器１２には配線コード類１３が接続されるほか、流体を通す可撓チューブ類１４が接続されている。
【００１３】
また、前記天板６の上面であって、前記柱体ユニット８の前後近傍にキャップ付きの挿通孔１５，…を設けるとともに、前記棚板９の前縁部にも液密状のゴムブッシュを備えた単又は複数の通孔１６を設けている。更に、前記棚板９の上面周囲には地震等の際に機器から漏出した液体が下方に流れ落ちないように堰き止めるフェンス１７を設けるとともに、漏出した液体を導入する２条の平行なスリット孔１８を開設し、該スリット孔１８に対応する棚板下面に樋部材１９を装着し、該樋部材１９に接続したドレンチューブ２０を前記挿通孔１５を通して天板６下に設置したタンク２１に接続して回収できるようにしている。また、前記棚板９上に設置した機器１２に接続した可撓チューブ類１４は前記通孔１６を通して保持し、同様にタンク２１に接続したり、あるいは他の検査機器に接続する。
【００１４】
また、前記挿通孔１５には、実験用機器１２，…に電源を供給する電源コードや機器間を接続する信号ケーブル等の配線コード類１３を挿通し、天板６の上下に亘る配線に利用する。特に、前方の挿通孔１５には可撓チューブ類１４とドレンチューブ２０を挿通し、後方の挿通孔１５には配線コード類１３を挿通して、異種のコードとチューブを前後に振り分けて配設することにより、機器１２のメンテナンスを容易となしている。
【００１５】
前記棚板９には、重量のある複数の実験用機器１２，…が載置されるので、その強度は高くなければならない。そのため、本実施形態では、図２〜図４に示すように、棚板９の両端を左右の前記柱体ユニット８，８に連結するとともに、下面を剛性のある前記ビームユニット１１に載置して荷重を受けている。つまり、前記柱体ユニット８は、前後の主柱２２，２２の上下端に転結杆２３，２３を溶接して四角形フレームを構成したものである。そして、柱体ユニット８は、下部の連結杆２３を天板６の上面にボルト止めして立起状態に保持している。前記ビームユニット１１は、前後に間隔を隔てて平行に配した長尺の横ビーム杆２４，２４の両端に短尺の縦ビーム杆２５，２５を溶接して四角形フレームを構成したものである。そして、ビームユニット１１の四隅には、それぞれ前記柱体ユニット８の主柱２２の左右内面と前後一側面に接合する平面視Ｌ字状の連結金具２６，…を溶接固定し、前記縦ビーム杆２５を柱体ユニット８の主柱２２，２２間に嵌合した状態で、該連結金具２６を左右内方から主柱２２にネジ止めしている。ここで、前記連結金具２６は、横ビーム杆２４と縦ビーム杆２５よりも上方に延び、その上方突出部の左右内面側に頭付ピン２７を突設している。尚、この頭付ピン２７は、ビームユニット１１を柱体ユニット８に固定するための上側ネジであっても構わない。
【００１６】
そして、前記棚板９は、両側面の後部と前部に、それぞれ該側面を切欠して後方係止溝２８と前方係止溝２９とを下方開放して形成している。後方係止溝２８は縦溝とその上端から後方へ屈曲した横溝とから構成され、また前方係止溝２９は縦溝から構成されている。そして、前記棚板９は、前部を持ち上げて傾斜させた状態で、後方係止溝２８の縦溝から後方の頭付ピン２７に係合させ、それから棚板９を前方へ移動させながら（図３参照）、前部を下げて水平状態にすると、前方係止溝２９が前方の頭付ピン２７に係合する（図４参照）。この状態では、後方係止溝２８の横溝最後部に後方の頭付ピン２７が位置し、棚板９後部の持ち上がりが規制される。また、前記棚板９の下面の前後部には間隔を隔てて棚補強部材３０，３０が固定されており、前後の棚補強部材３０，３０が前記ビームユニット１１の横ビーム杆２４，２４にそれぞれ載置される。尚、前記樋部材１９は、前記棚補強部材３０の内部に設けられている。
【００１７】
前記実験台１の上棚３の背後空間を利用して、各実験用機器１２間を配線コード類１３で接続する。また、天板６に載置した機器１２と棚板９に載置した機器１２とを接続する配線コード類１３は、棚板９の後方を通過させて配線する。このように、本実施形態の実験台１は、その背後に配線コード類１３を集中して配線することができるようになしたものである。また、天板６の下方に設置した機器１２と天板６の上位に載置した機器１２との接続は、後方の挿通孔１５を利用して行うのである。更に、前記柱体ユニット８の後方主柱２２の背面には、コンセント３１を設けている。そして、機器１２に電源を供給する配線コード類１３を前記コンセント３１に接続できるようになっている。一方、機器１２に連結した可撓チューブ類１４は棚板９に設けた通孔１６に挿通して保持するとともに、該可撓チューブ類１４及びドレンチューブ２０は前方に挿通孔１５を利用して天板６下に設置したタンク２１に接続し、廃液を回収するのである。
【００１８】
次に、本発明を、図５〜図１４に基づいて説明する。図５〜図１０は、本発明を構成する余剰コード処理手段５の第１実施形態を示し、図１１及び図１２は第２実施形態、図１３及び図１４は第３実施形態を示したものである。これら余剰コード処理手段５は、前記配線コード類１３の余剰部分を処理し、外観性良く少ない空間にまとめて保持しておくことができるものである。
【００１９】
先ず、図５及び図６に示した第１実施形態の第１例は、前記棚板９の下面の空間を利用して配線コード類１３の余剰部分を処理するものである。ここで、前記棚板９の下面の前後中央部には、前後に一対の係止段部３２，３２が存在することを前提としている。本実施形態では、前記ビームユニット１１を構成する前後の横ビーム杆２４，２４の上面と、前後の棚補強部材３０，３０の対向面とで形成される部分を前記係止段部３２，３２としているが、棚板９の棚補強部材３０，３０自体に設けても良い。そして、この係止段部３２，３２に、余剰コード処理手段５としてのコード受具３３を横方向の位置を変更自在に係止するのである。つまり、前記コード受具３３は、所定幅の受板３４（受部材）の左右両側に逆Ｔ字状の吊下板３５，３５（係止部材）を着脱可能に取付けた構造となっている。前記吊下板３５，３５の上端部を前記係止段部３２，３２に係止した後に、両吊下板３５，３５間に受板３４を連結して組み立てる。そして、当該コード受具３３を棚板９の横方向の適当な位置に設定し、前記受板３４に配線コード類１３の余剰部分を束ねて載せるのである。
【００２０】
図７及び図８は、第１実施形態の第２例を示し、余剰コード処理手段５としてのコード受具３６は、ワイヤーで構成した格子状受部材３７の両側部の固着した取付片３８，３８の端部に、上端に前記係止段部３２，３２に係止可能な爪部を有する吊部材３９，…を着脱可能に取付けた構造のものである。このコード受具３６は、略全体がビームユニット１１を構成する前後の横ビーム杆２４，２４の間の空間に収まるような寸法に設定されており、前後一側の吊部材３９，３９を外した状態で、他側の吊部材３９，３９を係止段部３２に係止するとともに、外した吊部材３９，３９も他方の係止段部３２に係止した後、取付片３８に連結して組付けるのである。このコード受具３６も、棚板９の下面位置で横方向の位置を変更自在となしている。そして、配線コード類１３の余剰部分を束ねた状態で、格子状受部材３７に載置又は係止するのである。
【００２１】
また、図９及び図１０は、第１実施形態の第３例を示し、余剰コード処理手段５としてのコード受具４０は、ワイヤーで構成した所定幅の格子状受部材４１と、前記係止段部３２，３２に係止可能な四角形の係止部材４２と、該係止部材４２の四隅に連結して前記格子状受部材４１を着脱自在に吊支する吊部材４３，…とから構成されている。前記係止部材４２を前記係止段部３２，３２に係止した後に、吊部材４３，…に格子状受部材４１を吊るして組み立てる。この場合も、前記係止段部３２，３２に係止したコード受具４０は、棚板９の下面で横方向の位置を変更自在となっている。そして、当該コード受具４０を棚板９の横方向の適当な位置に設定し、前記格子状受部材４１に配線コード類１３の余剰部分を束ねて載せ、あるいは束ねた余剰部分をフックを用いて引っ掛け、あるいは結束具で直接縛り付けるのである。
【００２２】
また、図１１及び図１２は、第２実施形態を示し、余剰コード処理手段５としての収納ボックス４４は、上部が上方及び後方へ開放した扁平状の箱体であり、天板６の上面後部と棚板９の後端間に突き合い状態で保持する。つまり、収納ボックス４４は、開口部４５から配線コード類１３の余剰部分を内部に落とし込んで収容するものである。ここで、前記収納ボックス４４の底面には、アジャスター４６，４６を設けるとともに、上端縁には棚板９の後面と下面に当止できる当止片４７を立設し、当止片４７を棚板９の後面に当止した状態でアジャスター４６，４６を調節して、天板６と棚板９間に突き合せて収納ボックス４４を立起状態に保持するのである。この収納ボックス４４も、それを設置する位置を上棚３の横方向に対して変更可能である。尚、単にボックスを前記棚板９の後縁のフェンス１７を利用して係止したものでも、配線コード類１３の余剰部分の処理が可能である。
【００２３】
最後に、図１３及び図１４は、第３実施形態を示し、余剰コード処理手段５としての係止具４８は、梯子状のものであり、該係止具４８を天板６の上面後部と棚板９の後端間に突き合い状態で保持し、配線コード類１３の余剰部分を直接結束具で縛り又はフックを用いて係止するようになしたものである。つまり、前記係止具４８は、両側に間隔を隔てて立設した支柱４９，４９の間に上下多段に横杆５０，…を渡設した構造であり、前記支柱４９は伸縮して弾性的に突っ張り合う構造あるいは前記同様なアジャスター構造となっている。そして、前記配線コード類１３の余剰部分は、適当に束ねた状態で横杆５０に結束又はフックで係止する。この係止具４８も、それを設置する位置を上棚３の横方向に対して変更可能である。
【００２４】
【発明の効果】
以上にしてなる請求項１に係る発明の実験台は、机天板の後部上に上棚を設けた実験台であって、前記天板及び棚板に載置した実験用機器に接続した配線コード類の余剰部分を整理、収容することが可能な余剰コード処理手段を、前記棚板の下面近傍の空間又は天板と棚板間の後部空間に、横方向の位置変更可能に設けたので、前記天板及び棚板に載置した実験用機器に接続した配線コード類の余剰部分を整理、収容することができ、余剰コード処理手段を設置する位置も上棚の横方向に変更可能であるので、最適な位置に設けることができる。
【００２５】
請求項２によれば、棚板下面の利用されてない空間を利用して配線コード類の余剰部分を整理、収容することができ、また前面側からも作業ができるので簡単である。
【００２６】
請求項３によれば、単に開口部から配線コード類の余剰部分を収納ボックスの内部に落とし込んで収容するだけであるので、極めて作業性が良く、また外観性にも優れている。
【００２７】
請求項４によれば、梯子状の係止具であるので、設置空間が狭くて良く、また配線コード類の余剰部分の処理に対する自由度が高い。
【図面の簡単な説明】
【図１】  本発明に係る余剰コード処理手段を備えた実験台を用いて構成した島置き実験設備の部分斜視図である。
【図２】  棚板の取付構造を示す分解斜視図である。
【図３】  棚板を取付ける途中の状態を示した部分側面図である。
【図４】  棚板を取付けた状態を示した部分側面図である。
【図５】  本発明における余剰コード処理手段の第１実施形態の第１例を示す部分側面図である。
【図６】  同じくコード受具の斜視図である。
【図７】  本発明における余剰コード処理手段の第１実施形態の第２例を示す部分側面図である。
【図８】  同じくコード受具の分解斜視図である。
【図９】  本発明における余剰コード処理手段の第１実施形態の第３例を示す部分側面図である。
【図１０】  同じくコード受具の斜視図である。
【図１１】  本発明における余剰コード処理手段の第２実施形態を示す部分斜視図である。
【図１２】  同じく部分側面図である。
【図１３】  本発明における余剰コード処理手段の第３実施形態を示す部分斜視図である。
【図１４】  同じく部分側面図である。
【符号の説明】
１  実験台                ２  机本体
３  上棚                  ４  作業通路
５  余剰コード処理手段    ６  天板
７  目隠しパネル          ８  柱体ユニット
９  棚板                  １０  支持脚
１１  ビームユニット      １２  実験用機器
１３  配線コード類        １４  可撓チューブ類
１５  挿通孔              １６  通孔
１７  フェンス            １８  スリット孔
１９  樋部材              ２０  ドレンチューブ
２１  タンク              ２２  主柱
２３  連結杆              ２４  横ビーム杆
２５  縦ビーム杆          ２６  連結金具
２７  頭付ピン            ２８  後方係止溝
２９  前方係止溝          ３０  棚補強部材
３１  コンセント          ３２  係止段部
３３  コード受具          ３４  受板
３５  吊下板              ３６  コード受具
３７  格子状受部材        ３８  取付片
３９  吊部材              ４０  コード受具
４１  格子状受部材        ４２  係止部材
４３  吊部材              ４４  収納ボックス
４５  開口部              ４６  アジャスター
４７  当止片              ４８  係止具
４９  支柱                ５０  横杆
【図１】
0004239365.tif 000002
【図２】
0004239365.tif 000003
【図３】
0004239365.tif 000004
【図４】
0004239365.tif 000005
【図５】
0004239365.tif 000006
【図６】
0004239365.tif 000007
【図７】
0004239365.tif 000008
【図８】
0004239365.tif 000009
【図９】
0004239365.tif 000010
【図１０】
0004239365.tif 000011
【図１１】
0004239365.tif 000012
【図１２】
0004239365.tif 000013
【図１３】
0004239365.tif 000014
【図１４】
0004239365.tif 000015